(57)【要約】      （修正有）【課題】被切断物への切断線のマーキング無し、または切断開始点のマーキングのみで、被切断物の辺に対して直角切りを行い、続けて直線切りを行うことができて、切断後の被切断物の切り口が、曲がりの少ない鋏。【解決手段】一対の鋏身が支軸を中心に回動自在に結合されている鋏において、下鋏身用ハンドル12の上部に、被切断物送りのガイドを行うための直線ガイド16と、下鋏身の外側面に基部が固定され、基部から下鋏身の略刃の高さで外方向に伸延する、被切断物を受けて支えるための第１受け台24と、被切断物の端部の位置決めを行うための直角ガイド31と、上鋏身の外方向に伸延する、被切断物を受けて支えるための第２受け台27とを設ける。【選択図】図１２
2014176583.tif 000002
【特許請求の範囲】
【請求項１】
一対の鋏身が支軸を中心に回動自在に結合されている鋏において、下鋏身用ハンドルの上部に、上向きの平面と、該上向きの平面から上方に立ち、下鋏身の外方向を向く案内面とで構成し、その交線が前記下鋏身の内側面と略同一平面内に位置する、被切断物送りのガイドを行うための直線ガイドと、前記下鋏身の外側面に基部が固定され、該基部から前記下鋏身の略刃の高さで外方向に伸延する、被切断物を受けて支えるための第１受け台と、該第１受け台の前記支軸側端部の上面に段を突設し、該段の内交線が前記下鋏身の内側面に対して略直角をなしている、被切断物の端部の位置決めを行うための直角ガイドと、さらに前記基部から、前記下鋏身と上鋏身の下部を通過し、前記上鋏身の外方向に伸延する、被切断物を受けて支えるための第２受け台と、を設け、該第２受け台の高さは、前記下鋏身の略峰の高さから、２つの前記鋏身を閉じたときの前記上鋏身の刃の高さの範囲内となっており、同じく第２受け台の前記鋏身先端側端部の反鋏身側端部は、前記下鋏身の略刃の高さとなっていることを特徴とする鋏。
【請求項２】
前記第１受け台の前記直角ガイド部の受け台に、前記直角ガイドの後方から、親指と人差し指とで跨いで被切断物を挟むことができる幅の、前記直角ガイドに沿った帯状部を設けた、請求項１記載の鋏。
【発明の詳細な説明】
【技術分野】
【０００１】
本発明は、直角切りと直線切りができる鋏に関する。
【背景技術】
【０００２】
右手用の鋏について言えば、鋏身の左側に被切断物用の受け台と直角ガイドを設けて、直角切りと直線切りを行うことができる鋏が提案されている（特許文献１参照）。この発明の鋏は、被切断物の辺に対して直角に切ることはできるが、直線切りは一握動作の切断による初回の１回のみであり、２回目以降の直線切りはできないという欠点があった。
【０００３】
また、ハンドルの上部に被切断物を沿わせて送るための直線ガイドを設けて、直線切りを行うことができる鋏が提案されている（特許文献２参照）。この発明の鋏は、頻度の高い、被切断物の辺に直角に切る場合も含めて、常に被切断物への切断線のマーキングが必要であること、また、初回の一握動作の切断時は、被切断物送りの直線ガイドに被切断物が接していないため、切断線のマーキングを狙いながら切断を行う必要があること、また、被切断物送りの直線ガイドを用いての直線切り時においても、被切断物が左右に傾いたり垂れ下がったりすることが原因で、被切断物に横方向の張力が加わり、このため被切断物の切り口が曲がってしまうこと、の欠点があった。
【先行技術文献】
【特許文献】
【０００４】
【特許文献１】特開２００１−１３７５７０号公報
【特許文献２】公開実用新案公報  平１−１１１５６８
【発明の概要】
【発明が解決しようとする課題】
【０００５】
本発明は上記の課題を解決するためになされたものであって、被切断物への切断線のマーキング無し、または切断開始点のマーキングのみで、被切断物の辺に対して直角切りを行い、続けて直線切りを行うことができて、切断後の被切断物の切り口が、曲がりの少ない鋏を提供することを目的としている。
【課題を解決するための手段】
【０００６】
前記課題を解決するため、本発明に係る鋏は、一対の鋏身が支軸を中心に回動自在に結合されている鋏において、下鋏身用ハンドルの上部に、上向きの平面と、該上向きの平面から上方に立ち、下鋏身の外方向を向く案内面とで構成し、その交線が前記下鋏身の内側面と略同一平面内に位置する、被切断物送りのガイドを行うための直線ガイドと、前記下鋏身の外側面に基部が固定され、該基部から前記下鋏身の略刃の高さで外方向に伸延する、被切断物を受けて支えるための第１受け台と、該第１受け台の前記支軸側端部の上面に段を突設し、該段の内交線が前記下鋏身の内側面に対して略直角をなしている、被切断物の端部の位置決めを行うための直角ガイドと、さらに前記基部から、前記下鋏身と上鋏身の下部を通過し、前記上鋏身の外方向に伸延する、被切断物を受けて支えるための第２受け台と、を設け、該第２受け台の高さは、前記下鋏身の略峰の高さから、２つの前記鋏身を閉じたときの前記上鋏身の刃の高さの範囲内となっており、同じく第２受け台の前記鋏身先端側端部の反鋏身側端部は、前記下鋏身の略刃の高さとなっていることを特徴としている。
【０００７】
上記のうち「下鋏身」および「上鋏身」とは、２つの鋏身を、支軸を中心に上下に開いたとき、上方に位置する鋏身を「上鋏身」、下方に位置する鋏身を「下鋏身」と称している。また、「段の内交線」とは、段の垂直面の下側の交線を示す。尚、本書では説明の便宜上、右手用の鋏を用いた表現をとっている。本文中の左右、または前方、後方、および手前の方向は、鋏を使用する態勢で手に持った状態での方向を示している。
【０００８】
上記の構成によれば、頻度の高い、被切断物の辺に直角に切る場合において、被切断物への切断線のマーキング無し、または切断開始点のマーキングのみで、最初に直角ガイドを用いて被切断物の辺に対して直角に１回目の切断を行い、次に切断した左側の被切断物の切り口を直線ガイドに沿わせて、２回目以降の切断を直線切りで行うことができる。これにより、切断後の被切断物の切り口は、被切断物の前記辺に対して直角の直線となる。また、上記のように被切断物の辺に対して直角に切断する場合は、マーキングを狙っての難しい切断は不要となる。
【０００９】
鋏の左側のみ被切断物用の受け台を設けた場合では、鋏の右側で、まだ切断していない被切断物が右下へ垂れ下がる。薄い紙や剛性の低い被切断物ほど、より下向きに垂れ下がるが、この現象によって、刃が交差して被切断物を切っている切断点、の被切断物に右方向の張力が加わり、そのため切り口が左方向へ曲がる。また、切断した右側の被切断物が垂れ下がって、切り口が下鋏身の内側面に当接するが、これがてこの支点となり、鋏の右側の被切断物の重量とのてこ作用によって、被切断物の切断点に右方向の張力が加わり、この場合も切り口が左方向に曲がる。これらの曲がりの現象は直線ガイド使用の有無を問わずに起きる。本発明の構成では、鋏の左側に加えて右側にも被切断物用の受け台を備えており、右側の被切断物を受け台で支えることによって、垂れ下がり、又はてこ作用による右方向の張力を減少させ、切り口が左方向へ曲がることを低減する。
【００１０】
同じく、鋏の左側のみ被切断物用の受け台を設けた場合では、鋏による一握の切断を終えると、次の切断のために鋏身を上下に開いて鋏を前方に進めるが、この刃送り時に、右側に垂れ下がった被切断物の切り口と、下鋏身の内側面との摩擦によって、垂れ下がった被切断物が刃送りに従動して、被切断物の切断点、の直下まで進むことがある。この現象は薄い紙や剛性の低い被切断物ほど起きやすい。この状態で次の切断を行うことになるが、この場合は、てこの支点が切断点の直下に位置するために、被切断物の重量とのてこ作用が強く働き、被切断物の切断点に加わる右方向の張力がより強くなって、より強く左へ切り口が曲がる。本発明の構成では、鋏の左側に加えて右側にも被切断物用の受け台を備えており、切断した右側の被切断物が受け台に当接して、緩やかな曲線で垂れ下がるため、刃送りに従動しにくくなり、切り口が強く曲がることを低減する。
【００１１】
同じく、鋏の左側のみ被切断物用の受け台を設けた場合では、切断中に、切断終了前の約１５ｍｍを残したあたりから、切断した右側の被切断物が垂れ下がることによる反動で、切断点の前方周辺の被切断物が斜めに起き上がる現象が起きる。この起き上がった被切断物を上鋏身の刃で押さえ込みながら切断するのであるが、被切断物を完全に下鋏身の刃まで押さえ込む少し手前で、上鋏身の刃が被切断物を左右方向に拘束して、その位置で切断を行うため、切り口が右方向へ曲がる。これは、切断点の前方周辺で被切断物が僅かに浮き上がった状態で切断位置が決定されたため、被切断物の左端までの距離が正規の長さよりも長くなるためであり、被切断物の切断残りが１５ｍｍあたりから更に少なくなるほど、残った被切断物の剛性が低くなり、被切断物がより強く起き上がって、より強く右へ切り口が曲がる。本発明の構成では、鋏の左側に加えて右側にも被切断物用の受け台を備えているため、切断中に、切断した右側の被切断物が受け台に当接して、緩やかな曲線で垂れ下がるため、切断終了前の約１５ｍｍを残したあたりからの、切断点の前方周辺での被切断物の起き上りが減少して、その切断最終段で被切断物の切り口が右方向へ曲がることを低減する。
【００１２】
また、上記の鋏において、前記第１受け台の前記直角ガイド部の受け台に、前記直角ガイドの後方から、親指と人差し指とで跨いで被切断物を挟むことができる幅の、前記直角ガイドに沿った帯状部を設けてもよい。
【００１３】
鋏の切断では、一握の切断でおよそ１．５〜２ｍｍ被切断物が前方に押し出されながら切断される。このため、直角切りを行う際は、直角ガイド部で被切断物を受け台と共に指で挟んで、被切断物を固定してから切断する必要がある。被切断物を直角ガイドにセットしたとき、被切断物が鋏の前方へ大きく垂れ下がっている場合は、手を離すと被切断物が前方へ落ちるため、被切断物を直角ガイドにセットしてから、指で被切断物と受け台とを挟んだ状態へ移行しにくいが、この構成では直角ガイド部の受け台に、直角ガイドに沿った帯状部を有しているため、被切断物を親指と人差し指で挟んで、その指の輪の中の被切断物の下へ、直角ガイド部受け台の帯状部を差し込むことができ、次に指で挟んだ被切断物を左右に動かして切断位置を調整し、被切断物を直角ガイドに当接させた後、指を手前に滑らせて、被切断物と受け台とを指で挟むことにより、容易に直角切りのための被切断物のセットと、固定を行うことができる。
【発明の効果】
【００１４】
本発明によれば、被切断物への切断線のマーキング無し、または切断開始点のマーキングのみで、被切断物の辺に対して直角切りを行い、続けて直線切りを行うことができて、切断後の被切断物の切り口が、曲がりの少ない鋏を提供することができる。
【図面の簡単な説明】
【００１５】
【図１】鋏の正面図である。
【図２】鋏の平面図である。
【図３】鋏の背面図である。
【図４】図３のA−A断面図である。
【図５】図３のB−B断面図である。
【図６】第２前受け台の、他の形状を示した図であり、図４と同位置の断面図である。
【図７】第１受け台の、他の形状を示した図である。
【図８】第２受け台の、他の形状を示した図であり、（ａ）は平面図、（ｂ）は右側面図である。
【図９】受け台の正面図である。
【図１０】鋏による切断状態図である。
【図１１】第２受け台無しの場合の、刃送り状態を示す説明図である。
【図１２】直角ガイドの使用状態を表した斜視図である。
【図１３】直線ガイドの使用状態を表した斜視図である。
【発明を実施するための形態】
【００１６】
以下、本発明の実施の形態について図面に基づいて説明する。
【００１７】
［鋏の構成］
図１〜５に示すように、一対の鋏身が支軸５によって回動自在に結合されており、本図は右手用の鋏を表しているので、支軸５を中心に鋏身を上下に開いたときの、上に位置する上鋏身２は鋏の右側、下に位置する下鋏身３は鋏の左側に配されていて、上鋏身２には下部に、下鋏身３には上部に、それぞれ刃４が設けられている。支軸５を境として鋏身の他端には、上鋏身用ハンドル１１と、下鋏身用ハンドル１２が取り付けられており、それぞれに指挿入穴１３が設けられている。下鋏身用ハンドル１２の上部には、上向きの平面１４と、上向きの平面１４から上方に立ち、下鋏身３の外方向を向く案内面１５とで構成し、その交線が下鋏身の内側面７と略同一平面内に位置する、直線ガイド１６が形設されている。
【００１８】
本実施形態では、上向きの平面１４の高さが、下鋏身３の刃４の延長線と同一の高さとなっているが、上向きの平面１４の支軸５側の高さを、同延長線の上方２０ｍｍの高さから、同延長線の下方１０ｍｍの高さの範囲内で、何れの高さに設定してもよく、上向きの平面１４に、刃４の後端付近へ向かう傾斜を付けてもよい。また、本実施形態では、案内面１５が上向きの平面１４に対して垂直であるが、案内面１５が上向きの平面１４に対して傾斜した直線ガイド１６であってもよい。
【００１９】
下鋏身３の外側面に係止具２０が、鋏身先端側と支軸５側の２箇所にボルトで固着されている。その係止具２０に係合する２個の切欠き２１（図９）を有する受け台２２の基部２３が、切欠き２１部を係止具２０に差し込むことによって取り付けられており、基部２３から第１受け台２４が下鋏身３の略刃４の高さで左方向に伸延している。第１受け台２４の縦方向の長さは、２つの鋏身を大きく開いたときの刃４の交点付近から、鋏身の先端付近までの長さとなっており、それに対して横幅は、縦方向の長さよりも少し小さいサイズとなっている。第１受け台２４は鋏身先端側の第１前受け台２５と、支軸５側の第１後受け台２６とに分かれていて、その第１後受け台２６の支軸５側端部の上面には、被切断物の端部を当接させる段を突設した、直角ガイド３１が設けられており、段の垂直面と受け台上面の交線が、下鋏身の内側面７に対して略直角となっている。第１後受け台２６は、直角ガイド３１の後方から、親指と人差し指とで跨いで被切断物を挟むことができる幅の、直角ガイド３１に沿った帯状部３７を有している。また、第１前受け台２５と第１後受け台２６の上面には、下鋏身の内側面７からの距離を表す目盛３２が付されている。
【００２０】
また、基部２３から第２受け台２７が、下鋏身３の略峰６の高さで上鋏身２の下部を通過して右方向に伸延しており、その縦方向の長さと横幅は第１受け台２４と同一となっている。第１受け台２４と第２受け台２７のサイズは共に、支軸５から鋏身先端までの距離に対して、縦方向の長さは２倍まで、横幅は１．２倍までの範囲内に設定することが望ましい。第２受け台２７は鋏身先端側の第２前受け台２８と、支軸５側の第２後受け台２９とに分かれていて、第２後受け台２９の高さは、下鋏身３の略峰６の高さであり、第２前受け台２８は、鋏身側が下鋏身３の略峰６の高さで、そこから右上方へ伸延して、先端は下鋏身３の略刃４の高さとなっている。第２後受け台２９と、第２前受け台２８鋏身側の高さは、下鋏身３の略峯６の高さから、２つの鋏身を閉じたときの上鋏身２の刃４の高さの範囲内に設定することができるが、特に第２後受け台２９の場合は、切断した右側の被切断物が垂れ下がって受け台に当接するため、鋏身の直近から一様な高さで外方向へ伸延する受け台とすることが必要であり、受け台２２に鋼板を用いる場合は、曲げ加工が複雑にならない、下鋏身３の略峯６の高さとすることが適しており、受け台２２に合成樹脂を用いる場合では、基部２３から下鋏身３の略峯６の高さで上鋏身２の下部を通過した直後に、上方に向けて段をつけ、２つの鋏身を閉じたときの上鋏身２の刃４の高さまでの範囲で、受け台を上げることが可能である。この場合、特に下鋏身３の峯６の高さと、上鋏身２の刃４の高さの差が大きい場合は、受け台の効果がより大きくなるよう、受け台を上げることが望ましい。
【００２１】
第２前受け台２８は図６の（ａ）または（ｂ）の形状であってもよい。また、鋏身先端側の第１前受け台２５および第２前受け台２８と、支軸５側の第１後受け台２６および第２後受け台２９とを分離し、２つに分かれた基部２３を、係止具２０を用いずにボルトで直付けしてもよい。第１受け台２４は図７の形状であってもよく、また、第２受け台２７は図８の形状であってもよい。
【００２２】
図１０に示すように、本実施形態によれば、鋏の左側に加えて右側にも被切断物３６用の第２受け台２７を備えているため、鋏の右側の、まだ切断していない被切断物３６の垂れ下がりを軽減させて、被切断物の切断点３５への右方向の張力を減少させ、また、切断した右側の被切断物３６の垂れ下がりによってできる、てこの支点３３と、鋏の右側の被切断物３６の重量とのてこ作用を軽減させて、被切断物の切断点３５への右方向の張力を減少させ、被切断物３６の切り口が左方向へ曲がる不具合を低減することができる。
【００２３】
また図１１に示すように、鋏の左側のみ被切断物３６用の受け台を設けて、右側の受け台が無い場合では、切断途中の刃送り時に、垂れ下がった被切断物３６が、切り口と下鋏身の内側面７との摩擦によって刃送りに従動し、被切断物の切断点３５、の直下まで進むことがあり、次の切断では、てこの支点３３が被切断物の切断点３５の直下に位置するために、被切断物３６の重量とのてこ作用が強く働き、被切断物の切断点３５に加わる右方向の張力がより強くなって、より強く左へ切り口が曲がる不具合が生じる。本実施形態では、鋏の左側に加えて右側にも被切断物３６用の第２受け台２７を備えており、切断した右側の被切断物３６が第２後受け台２９（図１０）に当接して、緩やかな曲線で垂れ下がるため、刃送りに従動しにくくなり、切り口が強く曲がることを低減する。
【００２４】
鋏の左側のみ被切断物３６用の受け台を設けた場合では、切断中に、切断終了前の約１５ｍｍを残したあたりから発生する、切断点３４の前方周辺での被切断物３６の起き上がりに起因して、切り口が右方向へ曲がる不具合が生じるが、本実施形態では、鋏の左側に加えて右側にも被切断物３６用の第２受け台２７を備えているため、切断中に、切断した右側の被切断物３６が第２後受け台２９（図１０）に当接して、緩やかな曲線で垂れ下がるため、切断終了前の約１５ｍｍを残したあたりからの、切断点３４の前方周辺での被切断物３６の起き上りが減少して、その切断最終段で被切断物３６の切り口が右方向へ曲がることを低減する。
【００２５】
［鋏の使用法］
被切断物３６の辺に直角に切る場合について説明する。被切断物３６への切断線のマーキングは無し、または切断開始点のマーキングのみを入れて、被切断物３６の切断開始点の約１５ｍｍ左を左手の親指と人差し指で挟み、鋏身を大きく開いて、その指の輪の中の、然も被切断物３６の下に、直角ガイド３１を有する第１後受け台２６の帯状部３７を差し込んで、被切断物３６の端部を直角ガイド３１に当接させつつ、被切断物３６を左右に動かして切断位置を刃４に合わせる。次に被切断物３６を挟んだ指を手前に滑らせて、被切断物３６と第１後受け台２６の両方を挟んで被切断物３６を固定し、鋏身を閉じながら１回目の切断を行う。次に鋏身を大きく開いて鋏を前方に進めて刃送りを行なうが、このとき切断した左側の被切断物３６の切り口を、直線ガイド１６の案内面１５に沿わせながら刃送りをし、上向きの平面１４で被切断物３６に軽く手を添えながら2回目の切断を行い、３回目以降の切断も同様に進める。これにより、切断後の被切断物３６の切り口は、被切断物３６の前記辺に対して直角の直線となる。本発明によれば、被切断物３６を切る作業の中で頻度の高い、被切断物３６の辺に直角に切る場合において、被切断物３６への切断線のマーキング無し、または切断開始点のマーキングのみで切断ができること、切断線を狙いながらの切断に比べて、簡単に速く切断することができること、切り口の曲がりが少ないこと、第１後受け台２６の帯状部３７を利用することによって、被切断物３６の直角ガイド３１へのセットと固定を簡単に行うことができること、により、切断作業の能率を高めることができる。
【００２６】
スクラップの作製等で行う、紙の切り抜きについて説明する。先ず、切り抜き対象に最も近い紙辺から、直角ガイド３１を用いての直角切りを行い、続けて直線ガイド１６を用いての直線切りで、切り抜き対象範囲を少し過ぎたところまで切断する。次に切断した切り口に直角ガイド３１を当接させて直角切り、及び直線ガイド１６を用いて直線切りを行って、切り抜き対象範囲を少し過ぎたところまで切断する。切り抜き対象範囲の残りの２辺も同様に切断を行って切り抜きが完成する。この方法によれば、簡単に直角度と直線度の良い切り抜きを行うことができる。
【００２７】
第１受け台２４の目盛３２の使用法について説明する。被切断物３６の左端を目盛３２に合わせてから切断することで、付された目盛３２の範囲内で、必要長さに紙を切断することができる。また、直角ではない被切断物３６の一方の辺に平行に切断する場合は、その被切断物３６の辺を、第１前受け台２５と第１後受け台２６の両方の、同じ値の目盛３２に合わせることにより、平行に切断することができる。この場合も、被切断物３６の切断幅が目盛３２の範囲内での使用に限定される。
【００２８】
鋏１のハンドルを把持して、他方の手で受け台２２を前方に押して、受け台２２の切欠き２１部を係止具２０から離脱させることにより、鋏１本体から受け台２２を取り外すことができる。この状態で直線ガイド１６が下方に位置するよう、鋏の上下を反転させると、ハンドル部が反り上がった通常の鋏の形状となる。この状態では曲線切りを含めて、通常の鋏と同一の使用が可能である。
【符号の説明】
【００２９】
１    鋏
２    上鋏身
３    下鋏身
４    刃
５    支軸
６    峰
７    下鋏身の内側面
１１  上鋏身用ハンドル
１２  下鋏身用ハンドル
１４  上向きの平面
１５  案内面
１６  直線ガイド
２０  係止具
２１  切欠き
２２  受け台
２３  基部
２４  第１受け台
２５  第１前受け台
２６  第１後受け台
２７  第２受け台
２８  第２前受け台
２９  第２後受け台
３１  直角ガイド（段）
３３  てこの支点
３４  切断点
３５  被切断物の切断点
３６  被切断物
３７  帯状部
【図１】
2014176583.tif 000003
【図２】
2014176583.tif 000004
【図３】
2014176583.tif 000005
【図４】
2014176583.tif 000006
【図５】
2014176583.tif 000007
【図６】
2014176583.tif 000008
【図７】
2014176583.tif 000009
【図８】
2014176583.tif 000010
【図９】
2014176583.tif 000011
【図１０】
2014176583.tif 000012
【図１１】
2014176583.tif 000013
【図１２】
2014176583.tif 000014
【図１３】
2014176583.tif 000015